(57)【要約】【目的】  タッチパネル面のタッチ位置に応じて振動子の振動量あるいは振動間隔あるいは振動周波数を制御してクリック感を変えてタッチ位置を操作者に感覚的に認識できるようにする「タッチパネル装置」を提供する。【構成】  タッチパネル面をなぞってデータを入力するタッチパネル装置であり、タッチ位置検出部13はタッチパネル面上のタッチ位置を検出し、振動制御部１４は該タッチ位置に応じた振動周波数あるいは振動間隔あるいは振動強度で振動素子１１ｃを振動させてタッチパネル１１ｂを振動する。【選択図】        図３
2006079238.tif 000002
【特許請求の範囲】
【請求項１】
タッチパネル面をなぞってデータを入力するタッチパネル装置において、
タッチパネルを振動させる振動素子、
タッチパネル面上のタッチ位置を検出するタッチ位置検出部、
タッチ位置に応じた振動周波数あるいは振動間隔あるいは振動強度で前記振動素子を振動させる振動制御部、
を備えたことを特徴とするタッチパネル装置。
【請求項２】
前記振動制御部はタッチパネル面の上下方向あるいは左右方向のタッチ位置に応じて振動周波数、振動間隔、振動強度のいずれか一つを制御すると共に、タッチ位置に基づいて音量を設定する音量設定部、
を備えたことを特徴とする請求項１記載のタッチパネル装置。
【請求項３】
前記振動制御部は上下方向のタッチ位置に応じて振動周波数、振動間隔、振動強度のいずれか一つを制御すると共に、左右方向のタッチ位置に応じて振動周波数、振動間隔、振動強度の別の一つを制御し、タッチ位置に基づいて所定周波数帯域におけるゲインを設定するイコライザカーブ設定部、
を備えたことを特徴とする請求項１記載のタッチパネル装置。
【請求項４】
タッチパネル面をなぞってデータを入力するタッチパネル装置において、
タッチパネルを振動させる振動素子、
タッチパネル面に表示されている画像を移動表示する表示制御部、
画像移動距離を算出する距離算出部
該画像移動距離に応じた振動周波数あるいは振動間隔あるいは振動強度で前記振動素子を振動させる振動制御部、
を備えたことを特徴とするタッチパネル装置。
【請求項５】
前記表示制御部は、タッチパネル面に車室内のスピーカ画像を表示し、所定のスピーカ画像を移動表示し、前記振動制御部は画像移動距離に応じて振動周波数、振動間隔、振動強度のいずれかを制御すると共に、該移動距離に基づいて該スピーカに入力するオーディオ信号の遅延時間を設定する遅延時間設定部、
を備えたことを特徴とする請求項４記載のタッチパネル装置。
【発明の詳細な説明】
【技術分野】
【０００１】
本発明はタッチパネル装置に係わり、特にタッチパネル面をなぞってデータを設定する際に設定データをブラインドタッチ入力できるタッチパネル装置に関する。
【背景技術】
【０００２】
タッチパネル装置は液晶などの表示面に透明タッチパネルを積層して構成され、タッチパネル面に表示されたソフトキーを指あるいはペンでタッチすることにより所望のデータを入力することができる。
また、タッチパネル装置はタッチパネル面をなぞることにより連続してデータを入力することもできる。図８はタッチパネル面をなぞることによりオーディオ装置のグラフィックイコライザカーブを設定する従来技術(たとえば特許文献1、特許文献２参照)の説明図である。タッチパネルにイコライザカーブ設定画面ＥＱＩＭを表示し、該タッチパネル上を指などでなぞると、なぞった曲線ＥＱＣと各帯域周波数軸Ｆ０〜Ｆ６との交点が示すゲインが設定されたものとして該交点にスライドツマミ画像Ｓを移動して表示する。
【０００３】
上記従来のタッチパネル装置はタッチした時の入力操作感がない。このため、タッチパネル面を振動させてクリック感、すなわち、データ入力操作感を持たせたものが提案されている(たとえば、特許文献3参照)。かかる振動型のタッチパネル装置は、図９に示すようにタッチパネル面ＴＰに各種ソフトキーＳＫ１〜ＳＫ３を表示し、所定のソフトキーがタッチされた時、圧電素子ＰＤを駆動してタッチパネルを振動してクリック感を発生する。又、図１０に示すようにオーディオモード画面をタッチパネルＴＰに表示し、バランス／フェダー調整するためにタッチパネル面ＴＰＳを指あるいはペンでタッチして左右あるいは上下になぞったとき、指がタッチパネル面上を移動するたびに圧電素子ＰＤを駆動してタッチパネルをぶるぶる振動して入力操作感を発生する。なお、タッチパネル面ＴＰＳの左右方向位置により左右音量比を制御し、上下方向位置により前後音量比を制御する。
【特許文献１】特開平１１−１１２２５４号公報
【特許文献２】特開２００４−７２４５号公報
【特許文献３】特開２００３−１２２５０７号公報
【発明の開示】
【発明が解決しようとする課題】
【０００４】
従来の振動型のタッチパネル装置では、タッチパネル面をなぞってデータ入力する際、該指が移動する度にタッチパネル面を振動してクリック感を発生するが、振動が一定で、クリック感(パルスタッチのフィードバック感)が単調で、リアル感に欠ける。また、タッチパネル面上のタッチ位置に関係なく振動が一定であるため、ブラインドタッチしにくく、表示画面をみながらデータを設定する必要がある。すなわち、タッチパネル面をなぞって音量調整やイコライザ設定、各スピーカの遅延時間を設定するには、設定用画面を見ながらでないと設定が困難で、ブラインドタッチは不可能である。
以上から本発明の目的は、タッチパネル面のタッチ位置に応じて振動子の振動量あるいは振動周波数あるいは振動間隔を制御してクリック感を変えてタッチ位置を操作者に感覚的に認識できるようにすることである。
本発明の別の目的は、ブラインドタッチにより音量やイコライゼーションカーブ等のデータの設定、調整を可能にすることである。
本発明の別の目的は、タッチパネル面に表示されている画像を選択して移動し、画像移動距離に応じて振動子の振動間隔あるいは振動周波数あるいは振動強度を制御してクリック感を変えて移動距離を操作者に感覚的に認識できるようにすることである。
本発明の別の目的は、ブラインドタッチにより車載の各スピーカの遅延時間を設定可能にすることである。
【課題を解決するための手段】
【０００５】
上記課題は本発明によれば、タッチパネル面をなぞってデータを入力する第1、第2のタッチパネル装置により達成される。
第1のタッチパネル装置は、タッチパネルを振動させる振動素子、タッチパネル面上のタッチ位置を検出するタッチ位置検出部、タッチ位置に応じた振動周波数あるいは振動間隔あるいは振動強度で前記振動素子を振動させる振動制御部を備えている。
第1のタッチパネル装置において、前記振動制御部はタッチパネル面の上下方向あるいは左右方向のタッチ位置に応じて振動周波数、振動周期、振動強度のいずれか一つを制御し、音量設定部はタッチ位置に基づいて音量を設定する。
第1のタッチパネル装置において、前記振動制御部は上下方向のタッチ位置に応じて振動周波数、振動間隔、振動強度のいずれか一つを制御すると共に、左右方向のタッチ位置に応じて振動周波数、振動間隔、振動強度の別の一つを制御し、イコライザカーブ設定部はタッチ位置に基づいて所定周波数帯域におけるゲインを設定する。
【０００６】
第２のタッチパネル装置は、タッチパネルを振動させる振動素子、タッチパネル面に表示されている画像を移動表示する表示制御部、画像の移動距離を算出する距離算出部、画像移動距離に応じた振動周波数あるいは振動間隔あるいは振動強度で前記振動素子を振動させる振動制御部を備えている。
前記表示制御部は、タッチパネル面に車室内のスピーカの画像を表示し、所定のスピーカ画像を移動表示し、前記振動制御部はスピーカ画像の移動距離に応じて振動周波数あるいは振動間隔あるいは振動強度を制御すると共に、遅延時間設定部は画像移動距離に基づいて該スピーカに入力するオーディオ信号の遅延時間を設定する。
【発明の効果】
【０００７】
本発明によれば、タッチパネル面のタッチ位置に応じて振動子の振動量あるいは振動周波数あるいは振動間隔を制御してクリック感を変えてタッチ位置を操作者に感覚的に認識させることができ、これにより、ブラインドタッチにより音量やイコライゼーションカーブ等の設定、調整が可能になった。
本発明によれば、タッチパネル面に表示されている画像を移動表示し、画像移動距離に応じて振動子の振動周波数あるいは振動間隔あるいは振動強度を制御してクリック感を変えて画像移動距離を操作者に感覚的に認識させることができ、これにより、ブラインドタッチにより車載の各スピーカの遅延時間が設定可能になった。
【発明を実施するための最良の形態】
【０００８】
図１（A）,(B)はタッチパネル面をなぞってデータを入力する第1のタッチパネル装置の概略説明図であり、指あるいはペン等のポインタＰNＴのタッチパネル面ＴＰ上のタッチ位置を検出し、該タッチ位置に応じた振動周波数あるいは振動間隔あるいは振動強度でタッチパネル面を振動させる。なお、振動間隔とは間欠的に振動させる場合における振動と振動の間隔である。
図１（A）では、音量調整画面を表示し、タッチパネル面ＴＰの上下方向のタッチ位置に応じてタッチパネル面の振動強度を制御し(振動周波数、振動間隔は一定)、該タッチ位置に基づいて音量を設定する。すなわち、縦方向を音量調整量とし、音量調整画面の下ほど調整量が小さいから振動を小さくし、上ほど調整量が大きいから振動を大きくする。このようにすれば、ブラインドタッチにより画面下から上方向にタッチパネル面をなぞると次第に振動が大きくなって音量が増加する。また、上から下になぞると次第に振動が小さくなって音量が減少する。すなわち、振動の大きさとボリューム調整量の間に相関があるためブラインドタッチで音量調整が可能になる。
なお、上下方向に代えて水平方向を音量調整量とし、音量調整画面の左ほど調整量を小さくして振動を小さくし、右ほど調整量を大きくして振動を大きくするように構成することもできる。また、振動強度を制御する代わりに振動周波数あるいは振動間隔を制御することもできる。
【０００９】
図１（B）では、イコライザカーブ設定画面を表示し、タッチパネル面ＴＰの二次元タッチ位置に応じてタッチパネル面の振動強度および振動周波数（あるいは振動間隔）の2つを制御し、該タッチ位置に基づいてイコライザカーブを設定する。すなわち、縦方向をゲインとし、設定画面の下ほどゲインが小さいから振動を小さくし、上ほどゲインが大きいから振動を大きくする。また、横方向を帯域周波数とし、左ほど帯域周波数が低いから振動周波数を小さくし(あるいは振動間隔を大きくし)、右ほど帯域周波数が高いから振動周波数を大きくする（あるいは振動間隔を小さくする）。このようにすれば、振動が大きくなるほどゲインが増加し、また、振動周波数が大きくなるほど帯域周波数が高くなり、振動の大きさとゲインとの間に相関があり、しかも振動周波数(振動間隔)と帯域周波数との間にも相関があるため、ブラインドタッチでイコライザカーブの設定が可能になる。
【００１０】
図２はタッチパネル面をなぞってデータを入力する第２のタッチパネル装置の概略説明図であり、指あるいはペン等のポインタＰNＴにより、タッチパネル面に表示されている画像をドラッギング操作により移動し、移動距離に応じた振動周波数、振動間隔あるいは振動強度でタッチパネル面を振動させる。
たとえば、車室内のスピーカの画像ＳＰFL〜ＳＰRRを表示し、各スピーカに入力するオーディオ信号の遅延時間を設定する際、ポインタＰＮＴで所定のスピーカ画像を選択して移動する。そして、基準位置(初期スピーカ位置)からタッチ位置までの画像移動距離が大きくなるほど遅延時間を長くする。また、移動距離に応じて振動間隔の長短を制御する。たとえば、基準位置からの移動距離が大きくなるほど遅延時間が長くなるからタッチパネルの振動間隔を長くする。このようにすれば、振動間隔と遅延時間の間に相関があるためブラインドタッチで遅延時間の調整が可能になる。
【実施例１】
【００１１】
図３はボリュームを設定する場合のタッチパネル装置の構成図である。タッチパネル装置１１は液晶表示装置１１ａに透明タッチパネル１１ｂを積層した構成を備え、タッチパネル１１ｂを振動させるための振動部１１ｃが設けられている。なお、振動部１１ｃは圧電素子などで構成され、その構成は周知であり、ここでは詳述しないが例えば特許文献３を参照されたい。
ユーザがボリューム設定を指示すると、入出力制御部１２はタッチパネル１１ｂにボリューム設定画面を表示する。かかる状態で、ボリュームを増大させるために、ポインタＰＮＴで画面を下から上方向になぞる。タッチ位置／移動方向検出部１３はポインタPNTの縦方向のタッチ位置Ｙおよびポインタの移動方向Ｄを検出して入出力制御部１２と振動周波数／振動強度制御部１４に入力する。
入出力制御部１２はタッチ位置Ｙおよびポインタの移動方向Ｄに基づいてボリューム調整値ＶＯＬを求めてオーディオ回路１５に入力し、オーディオ回路１５は該ボリューム調整値ＶＯＬに基づいて音量を制御する。なお、音量調整画面ＶＳＣＲの下ほど調整量が小さく、上ほど調整量が大きいものとする。また、下から上方向にタッチパネル面をなぞったときに音量を増大し、上から下方向にタッチパネル面をなぞったときに音量を減少するものとする。
【００１２】
位置−振動強度テーブル１６はタッチ位置と振動強度の対応を記憶している。すなわち、音量調整画面ＶＳＣＲの下ほど振動が小さく、上ほど振動が大きくなるようにタッチ位置と振動強度の対応を記憶している。振動周波数／振動強度制御部１４は、タッチ位置Ｙに応じた振動強度を位置−振動強度テーブル１６より求め、該振動強度に応じた振動子駆動信号を発生して振動部アクチュエータ１７を駆動し、振動部の振動振幅を制御する。なお、振動周波数、振動間隔は一定とする。この結果、音量調整画面ＶＳＣＲを下から上方向にタッチパネル面をなぞると次第にタッチパネル面の振動が大きくなりつつ音量が増加する。また、逆に上から下になぞると次第に振動が小さくなりつつ音量が減少する。
以上のように、第1実施例によれば、振動の大きさとボリューム調整量の間に相関を生じさせることができ、これにより、ブラインドタッチで音量調整が可能になる。
なお、以上では振動周波数、振動間隔を一定にし、振動振幅をタッチ位置に応じて制御したが、タッチ位置に応じて振動周波数、振動間隔、振動振幅のいずれか１つを制御するように構成することもできる。
【実施例２】
【００１３】
図４はイコライザカーブを設定する場合のタッチパネル装置の構成図であり、図３と同一部分には同一符号を付している。
ユーザがイコライザカーブの設定を指示すると、入出力制御部１２はタッチパネル１１にイコライザカーブ設定画面ＥＱＳＣＲを表示する。かかる状態で、イコライザカーブを設定するために、ポインタＰＮＴで画面を所望のイコライザカーブにしたがって設定画面をなぞる。二次元タッチ位置検出部２１はポインタPNTの横方向及び縦方向のタッチ位置（Ｘ，Ｙ）を検出して入出力制御部１２と振動周波数／振動強度制御部１４に入力する。
入出力制御部１２は連続して入力するタッチ位置（Ｘ，Ｙ）に基づいて各帯域周波数のゲイン(イコライザカーブ)を求めてオーディオ回路１５に入力する。オーディオ回路１５は各帯域周波数のゲイン、すなわち、イコライザカーブをグラフィックイコライザに設定して音質を制御する。なお、イコライザカーブ設定画面EQSCRの縦方向をゲインとし、設定画面の下ほどゲインが小さく、上ほどゲインが大きいとする。また、横方向を帯域周波数とし、左ほど帯域周波数が低く、右ほど帯域周波数が高いとする。
【００１４】
位置−振動強度テーブル２２は縦方向タッチ位置と振動強度の対応(Ｙ−Ｖｄ)を記憶している。すなわち、イコライザカーブ設定画面EQSCRの下ほど振動が小さく、上ほど振動が大きくなるように縦方向タッチ位置と振動強度の対応を記憶している。また、位置−振動周波数テーブル２３は横方向タッチ位置と振動周波数の対応（Ｘ−Ｖｆ）を記憶している。すなわち、イコライザカーブ設定画面EQSCRの左ほど振動周波数が低く、右ほど振動周波数が大きくなるように横方向タッチ位置と振動周波数の対応を記憶している。
振動周波数／振動強度制御部１４は、縦方向タッチ位置Ｙに応じた振動強度を位置−振動強度テーブル２２より求め、横縦方向タッチ位置Ｘに応じた振動周波数を位置−振動周波数テーブル２３より求め、該振動強度、振動周波数に応じた振動子駆動信号を発生して振動部アクチュエータ１７を駆動し、振動部１１ｃの振動振幅及び振動周波数を制御する。なお、振動間隔は一定とする。この結果、イコライザカーブ設定画面EQSCRを所望のイコライザカーブにしたがってなぞると二次元タッチ位置に応じて振動振幅、振動周波数が変化する。すなわち、振動振幅が大きくなるほどゲインが増加し、また、振動周波数が大きくなるほど帯域周波数が高くなり、振動の大きさとゲインとの間に相関があり、しかも振動周波数と帯域周波数との間にも相関があるため、ブラインドタッチでイコライザカーブの設定が可能になる。
なお、以上では振動強度と振動周波数の2つを制御したが、振動強度、振動周波数、振動間隔のいずれか２つをタッチ位置に応じて制御するように構成することもできる。
【実施例３】
【００１５】
図５はスピーカに入力するオーディオ信号の遅延時間を設定する場合のタッチパネル装置の構成図であり、図３と同一部分には同一符号を付している。図６に示すように車室内での音響空間において各スピーカＳＰFL，ＳＰFR，ＳＰRL，ＳＰRRと運転手ＤＲＶの耳元までの距離が異なり、各スピーカから耳元に音声が届く時間ＴFL，ＴFR，ＴRL，ＴRRに差が生じる。そこで、カーオーディオ装置では各スピーカからの音が耳元に届く時間を同一にするために、各スピーカに入力するオーディオ信号を遅延するようにしている。従来、図7に示すように遅延時間設定画面を表示し、ツマミでスピーカを選択し、ついで、インクリメントキー、デクリメントキーを用いて遅延時間を設定する。しかし、かかる設定操作ではディスプレイ画面をみながしか設定できず、ブラインドタッチで遅延時間の設定ができない。
そこで、本発明では、図５に示すように遅延時間設定画面（車室内のスピーカの画像ＳＰFL〜ＳＰRRを有している）DTSCRを表示し、ポインタＰＮＴで所定のスピーカ画像を選択して移動し、移動距離に応じて遅延時間の長短を制御し、かつ、移動距離に応じてタッチパネル面の振動間隔を制御している。
【００１６】
ユーザが遅延時間の設定を指示すると、入出力制御部１２はタッチパネル１１に遅延時間設定画面DTSCRを表示する。かかる状態で、フロント右側のスピーカの遅延時間を設定するために、ポインタＰＮＴでスピーカ画像ＳＰFRを選択してドラッギングにより移動する。二次元タッチ位置検出部３１はポインタPNTの横方向及び縦方向のタッチ位置（Ｘ，Ｙ）を検出して入出力制御部１２と距離計算部３２に入力する。
入出力制御部１２はタッチ位置（Ｘ，Ｙ）に基づいて基準位置(初期スピーカ位置)からの画像移動距離Ｄを計算し、該移動距離に基づいて遅延時間ｔFRを決定してオーディオ回路１５に入力し、オーディオ回路１５は該遅延時間ｔFRに基づいてフロント右側スピーカに入力するオーディオ信号を遅延する。
距離計算部３２はタッチ位置（Ｘ，Ｙ）に基づいて移動距離Ｄを計算し、振動間隔制御部３３に入力する。距離−振動間隔テーブル３４は移動距離と振動間隔との対応(Ｄ−ＶINT)を記憶している。すなわち、移動距離が短いほど振動間隔が短く、移動距離が長いほど振動間隔が長くなるように移動距離と振動間隔の対応を記憶している。
振動間隔制御部３３は、スピーカ画像の移動距離Ｄに応じた振動間隔を距離−振動間隔テーブル３４より求め、該振動間隔に応じた振動子駆動信号を発生して振動部アクチュエータ１７を駆動し、振動部１１ｃの振動間隔を制御する。ただし、振動周波数、振動振幅は一定とする。この結果、遅延時間設定画面DTSCR上で所定のスピーカ画像を移動させると画像移動距離に応じて振動間隔、設定遅延時間が変化する。すなわち、移動距離が長くなる程、振動間隔が長くなり、遅延時間が長くなる。このように振動間隔と設定すべき遅延時間との間に相関をもたせることができ、ブラインドタッチで遅延時間の設定が可能になる。
なお、以上では振動間隔を制御したが、振動強度、振動周波数、振動間隔のいずれかを移動距離に応じて制御するように構成することもできる。
【図面の簡単な説明】
【００１７】
【図１】タッチパネル面をなぞってデータを入力する第1のタッチパネル装置の概略説明図である。
【図２】タッチパネル面をなぞってデータを入力する第２のタッチパネル装置の概略説明図である。
【図３】ボリュームを設定する場合のタッチパネル装置の構成図である。
【図４】イコライザカーブを設定する場合のタッチパネル装置の構成図である。
【図５】スピーカに入力するオーディオ信号の遅延時間を設定する場合のタッチパネル装置の構成図である。
【図６】オーディオ信号の遅延時間を設定する理由説明図である。
【図７】従来の遅延時間設定説明図である。
【図８】タッチパネル面をなぞることによりオーディオ装置のグラフィックイコライザカーブを設定する従来技術説明図である。
【図９】振動型のタッチパネル装置のソフトキー入力説明図である。
【図１０】タッチパネル面のなぞり操作でバランス／フェダー調整する説明図である。
【符号の説明】
【００１８】
１１  タッチパネル装置
１２  入出力制御部
１３  タッチ位置／移動方向検出部
１４  振動周波数／振動強度制御部
１５  オーディオ回路
１６  位置−振動強度テーブル
１７  振動部アクチュエータ
【図１】
2006079238.tif 000003
【図２】
2006079238.tif 000004
【図３】
2006079238.tif 000005
【図４】
2006079238.tif 000006
【図５】
2006079238.tif 000007
【図６】
2006079238.tif 000008
【図７】
2006079238.tif 000009
【図８】
2006079238.tif 000010
【図９】
2006079238.tif 000011
【図１０】
2006079238.tif 000012